【手続補正書】
【提出日】平成18年2月8日(2006.2.8)
【手続補正１】
【補正対象書類名】明細書
【補正対象項目名】発明の名称
【補正方法】変更
【補正の内容】
【発明の名称】情報提供装置
【手続補正２】
【補正対象書類名】明細書
【補正対象項目名】特許請求の範囲
【補正方法】変更
【補正の内容】
【特許請求の範囲】
【請求項１】推薦対象である複数のコンテンツから一部のコンテンツを推薦する情報提供装置であって、複数のユーザによる前記一部のコンテンツに対する評価を評価日時と対応付けて履歴データとして記憶する履歴蓄積手段と、ユーザ間の類似度を算出するための履歴の期間の設定を受け付ける学習期間設定手段と、前記履歴データのうち前記評価日時が前記期間内である履歴データに基づいてユーザ間の類似度を算出するユーザ間類似度算出手段と、前記履歴データと前記ユーザ間の類似度とに基づいてユーザに推薦するコンテンツの決定を行う推薦手段とを有することを特徴とする情報提供装置。
【請求項２】推薦対象である複数のコンテンツから一部のコンテンツを推薦する情報提供装置であって、複数のユーザによる前記一部のコンテンツに対する評価を評価日時と対応付けて履歴データとして記憶する履歴蓄積手段と、前記履歴データに基づいてユーザ間の類似度を算出するユーザ間類似度算出手段と、前記推薦対象であるコンテンツの絞込みに用いるための履歴の期間の設定を受け付け、前記履歴データのうち前記評価日時が前記期間内である履歴データに含まれるコンテンツのみを推薦対象として絞り込み、前記履歴データと前記ユーザ間の類似度とに基づいて前記絞り込んだコンテンツからユーザに推薦するコンテンツの決定を行う推薦手段とを有することを特徴とする情報提供装置。
【請求項３】推薦対象である複数のコンテンツから一部のコンテンツを推薦する情報提供装置であって、複数のユーザによる前記一部のコンテンツに対する評価を履歴データとして記憶する履歴蓄積手段と、前記履歴データに基づいてユーザ間の類似度を算出するユーザ間類似度算出手段と、ユーザに推薦するコンテンツの決定に用いるためのユーザ数の設定を受け付ける類似ユーザ数設定手段と、前記履歴データのうち前記ユーザ間の類似度の高い順に前記ユーザ数のユーザの履歴データと前記ユーザ間の類似度とに基づいてユーザに推薦するコンテンツの決定を行う推薦手段とを有することを特徴とする情報提供装置。
【請求項４】推薦対象である複数のコンテンツから一部のコンテンツを推薦する情報提供装置であって、複数のユーザによる前記一部のコンテンツに対する評価を履歴データとして記憶する履歴蓄積手段と、前記履歴データに基づいてユーザ間の類似度を算出するユーザ間類似度算出手段と、ユーザに推薦するコンテンツの決定に用いるためのユーザ間類似度の閾値の設定を受け付ける類似ユーザ類似度設定手段と、前記履歴データのうち前記閾値以上のユーザ間類似度のユーザの履歴データと前記ユーザ間の類似度とに基づいてユーザに推薦するコンテンツの決定を行う推薦手段とを有することを特徴とする情報提供装置。
【請求項５】ユーザ間の類似度は、両方のユーザに正の評価を受けたコンテンツ数を少なくとも一方のユーザに正の評価を受けたコンテンツ数で除した除数とする請求項１から４のいずれかに記載の情報提供装置。
【請求項６】推薦するコンテンツの決定は、コンテンツ各々に対して、当該コンテンツに正の評価を行ったユーザのユーザ間類似度の合計に基いて行う請求項１から５のいずれかに記載の情報提供装置。
【請求項７】推薦するコンテンツの決定は、類似度の合計が所定の閾値以上である請求項６記載の情報提供装置。
【請求項８】推薦するコンテンツの決定は、類似度の合計の高い順に所定の数を決定する請求項６記載の情報提供装置。
【手続補正３】
【補正対象書類名】明細書
【補正対象項目名】０００１
【補正方法】変更
【補正の内容】
【０００１】
【発明の属する技術分野】
本発明は、コンテンツを適切な状況でユーザに提供するための情報提供装置に関する。
【手続補正４】
【補正対象書類名】明細書
【補正対象項目名】０００７
【補正方法】変更
【補正の内容】
【０００７】
【課題を解決するための手段】
本発明は、推薦対象である複数のコンテンツから一部のコンテンツを推薦する情報提供装置であって、複数のユーザによる前記一部のコンテンツに対する評価を評価日時と対応付けて履歴データとして記憶する履歴蓄積手段と、ユーザ間の類似度を算出するための履歴の期間の設定を受け付ける学習期間設定手段と、前記履歴データのうち前記評価日時が前記期間内である履歴データに基づいてユーザ間の類似度を算出するユーザ間類似度算出手段と、前記履歴データと前記ユーザ間の類似度とに基づいてユーザに推薦するコンテンツの決定を行う推薦手段とを有する。
【手続補正５】
【補正対象書類名】明細書
【補正対象項目名】０００８
【補正方法】変更
【補正の内容】
【０００８】
本発明は、推薦対象である複数のコンテンツから一部のコンテンツを推薦する情報提供装置であって、複数のユーザによる前記一部のコンテンツに対する評価を評価日時と対応付けて履歴データとして記憶する履歴蓄積手段と、前記履歴データに基づいてユーザ間の類似度を算出するユーザ間類似度算出手段と、前記推薦対象であるコンテンツの絞込みに用いるための履歴の期間の設定を受け付け、前記履歴データのうち前記評価日時が前記期間内である履歴データに含まれるコンテンツのみを推薦対象として絞り込み、前記履歴データと前記ユーザ間の類似度とに基づいて前記絞り込んだコンテンツからユーザに推薦するコンテンツの決定を行う推薦手段とを有する。
【手続補正６】
【補正対象書類名】明細書
【補正対象項目名】０００９
【補正方法】変更
【補正の内容】
【０００９】
本発明は、推薦対象である複数のコンテンツから一部のコンテンツを推薦する情報提供装置であって、複数のユーザによる前記一部のコンテンツに対する評価を履歴データとして記憶する履歴蓄積手段と、前記履歴データに基づいてユーザ間の類似度を算出するユーザ間類似度算出手段と、ユーザに推薦するコンテンツの決定に用いるためのユーザ数の設定を受け付ける類似ユーザ数設定手段と、前記履歴データのうち前記ユーザ間の類似度の高い順に前記ユーザ数のユーザの履歴データと前記ユーザ間の類似度とに基づいてユーザに推薦するコンテンツの決定を行う推薦手段とを有する。
【手続補正７】
【補正対象書類名】明細書
【補正対象項目名】００１０
【補正方法】変更
【補正の内容】
【００１０】
本発明は、推薦対象である複数のコンテンツから一部のコンテンツを推薦する情報提供装置であって、複数のユーザによる前記一部のコンテンツに対する評価を履歴データとして記憶する履歴蓄積手段と、前記履歴データに基づいてユーザ間の類似度を算出するユーザ間類似度算出手段と、ユーザに推薦するコンテンツの決定に用いるためのユーザ間類似度の閾値の設定を受け付ける類似ユーザ類似度設定手段と、前記履歴データのうち前記閾値以上のユーザ間類似度のユーザの履歴データと前記ユーザ間の類似度とに基づいてユーザに推薦するコンテンツの決定を行う推薦手段とを有する。
【手続補正８】
【補正対象書類名】明細書
【補正対象項目名】００１１
【補正方法】変更
【補正の内容】
【００１１】
好ましくは、ユーザ間の類似度は、両方のユーザに正の評価を受けたコンテンツ数を少なくとも一方のユーザに正の評価を受けたコンテンツ数で除した除数とする。
好ましくは、推薦するコンテンツの決定は、コンテンツ各々に対して、当該コンテンツに正の評価を行ったユーザのユーザ間類似度の合計に基いて行う。
【手続補正９】
【補正対象書類名】明細書
【補正対象項目名】００１２
【補正方法】変更
【補正の内容】
【００１２】
好ましくは、推薦するコンテンツの決定は、類似度の合計が所定の閾値以上である。
好ましくは、推薦するコンテンツの決定は、類似度の合計の高い順に所定の数を決定する。